【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
被検者により入力された指示に応じて変更された補正値であって、眼底を観察するための第１の光源の光量の補正値と前記眼底を撮影するための第２の光源の光量の補正値とを取得する取得手段と、
前記第１の光源の照明下での前記眼底からの反射光を測光する測光手段により得られる測光情報と、前記測光手段による測光時における前記第１の光源の光量と、前記第１の光源の光量の前記変更された補正値とに基づいて、前記第１の光源の光量を制御する第１の制御手段と、
前記測光手段により得られる測光情報と、前記測光手段による測光時における前記第１の光源の光量と、前記第２の光源の光量の前記変更された補正値とに基づいて、前記第２の光源の光量を制御する第２の制御手段と、
を有することを特徴とする光量制御装置。
【請求項２】
前記第１の制御手段は、前記測光手段による測光時における前記第１の光源の光量に対する、前記測光情報により示される前記第１の光源の照明下での前記眼底からの反射光の光量の割合である、前記眼底の反射特性に対応する前記第１の光源の光量を取得し、取得した当該第１の光源の光量と前記第１の光源の光量の前記変更された補正値とに基づいて、前記第１の光源の光量を制御することを特徴とする請求項１に記載の光量制御装置。
【請求項３】
前記第２の制御手段は、前記測光手段による測光時における前記第１の光源の光量に対する、前記測光情報により示される前記第１の光源の照明下での前記眼底からの反射光の光量の割合である、前記眼底の反射特性に対応する前記第２の光源の光量を取得し、取得した当該第２の光源の光量と前記第２の光源の光量の前記変更された補正値とに基づいて、前記第２の光源の光量を制御することを特徴とする請求項１又は２に記載の光量制御装置。
【請求項４】
自動光量制御のオンとオフとを切り替える切替手段を更に有し、
前記切替手段により自動光量制御がオンに切り替えられた場合、前記第１の制御手段及び前記第２の制御手段が機能することを特徴とする請求項１乃至３の何れか１項に記載の光量制御装置。
【請求項５】
前記第１の光源の光量の補正値に関する入力を受け付ける第１の入力手段と、
前記第２の光源の光量の補正値に関する入力を受け付ける第２の入力手段と、
前記第１の入力手段及び前記第２の入力手段のうちの何れか一方で受け付けられた入力に応じて、前記第１の光源の光量の補正値及び前記第２の光源の光量の補正値の両方を連動させて変更する変更手段とを更に有することを特徴とする請求項１乃至４の何れか１項に記載の光量制御装置。
【請求項６】
前記第１の光源の照明下での前記眼底からの反射光に基づいて前記眼底を観察するための画像データを出力するとともに、前記第２の光源の照明下での前記眼底からの反射光に基づいて前記眼底を撮影するための画像データを出力する撮像手段を更に有し、
前記測光手段は、前記第１の光源の照明下において前記撮像手段より出力される画像データに基づいて、前記第１の光源の照明下での前記眼底からの反射光を測光することを特徴とする請求項１乃至５の何れか１項に記載の光量制御装置。
【請求項７】
光量制御装置によって実行される光量制御方法であって、
被検者により入力された指示に応じて変更された補正値であって、眼底を観察するための第１の光源の光量の補正値と前記眼底を撮影するための第２の光源の光量の補正値とを取得する取得ステップと、
前記第１の光源の照明下での前記眼底からの反射光を測光する測光ステップと、
前記測光ステップにより得られる測光情報と、前記測光ステップによる測光時における前記第１の光源の光量と、前記第１の光源の光量の前記変更された補正値とに基づいて、前記第１の光源の光量を制御する第１の制御ステップと、
前記測光ステップにより得られる測光情報と、前記測光ステップによる測光時における前記第１の光源の光量と、前記第２の光源の光量の前記変更された補正値とに基づいて、前記第２の光源の光量を制御する第２の制御ステップと、
を含むことを特徴とする光量制御方法。
【請求項８】
請求項７に記載の光量制御方法の各工程をコンピュータに実行させるプログラム。
【請求項９】
被検眼を観察するための観察光源と、
前記被検眼を撮影するための撮影光源と、
被検者により入力された指示に応じて変更された補正値であって、前記撮影光源の光量の補正値を取得する取得手段と、
前記観察光源からの観察光を照明した前記被検眼からの戻り光を測光する測光手段と、
前記測光手段により得られる測光情報と前記撮影光源の光量の前記変更された補正値とに基づいて、前記撮影光源の光量を制御する制御手段と、
を有することを特徴とする眼科装置。
【請求項１０】
前記制御手段は、前記測光手段により得られる測光情報と観察光量補正値とに基づいて前記観察光源の光量を制御し、前記測光手段により得られる測光情報と撮影光量補正値とに基づいて前記撮影光源の光量を制御することを特徴とする請求項９に記載の眼科装置。
【請求項１１】
前記被検眼の眼底の視神経乳頭の明るさに基づいて前記撮影光量補正値を設定する設定手段を有することを特徴とする請求項１０に記載の眼科装置。
【請求項１２】
前記観察光に基づく前記被検眼の眼底の眼底像の明るさとアライメント指標の明るさとに基づいて前記観察光量補正値を設定する設定手段を更に有することを特徴とする請求項１０又は１１に記載の眼科装置。
【請求項１３】
被検眼を観察するための観察光源と、
被検者により入力された指示に応じて変更された補正値であって、前記観察光源の光量の補正値を取得する取得手段と、
前記観察光源からの観察光を照明した前記被検眼からの戻り光を測光する測光手段と、
前記測光手段により得られる測光情報と前記観察光源の光量の前記変更された補正値とに基づいて、前記観察光源の光量を制御する制御手段と、
を有することを特徴とする眼科装置。
【請求項１４】
被検眼を観察するための観察光源と、前記被検眼を撮影するための撮影光源とを有する眼科装置によって実行される眼科方法であって、
被検者により入力された指示に応じて変更された補正値であって、前記撮影光源の光量の補正値を取得する取得ステップと、
前記観察光源からの観察光を照明した前記被検眼からの戻り光を測光する測光ステップと、
前記測光ステップにより得られる測光情報と前記撮影光源の光量の前記変更された補正値とに基づいて、前記撮影光源の光量を制御する制御ステップと、
を有することを特徴とする眼科方法。
【請求項１５】
被検眼を観察するための観察光源を有する眼科装置によって実行される眼科方法であって、
被検者により入力された指示に応じて変更された補正値であって、前記観察光源の光量の補正値を取得する取得ステップと、
前記観察光源からの観察光を照明した前記被検眼からの戻り光を測光する測光ステップと、
前記測光ステップにより得られる測光情報と前記観察光源の光量の前記変更された補正値とに基づいて、前記観察光源の光量を制御する制御ステップと、
を有することを特徴とする眼科方法。
【請求項１６】
請求項１４又は１５に記載の眼科方法をコンピュータに実行させるためのプログラム。
【手続補正２】
【補正対象書類名】明細書
【補正対象項目名】０００８
【補正方法】変更
【補正の内容】
【０００８】
本発明の光量制御装置は、被検者により入力された指示に応じて変更された補正値であって、眼底を観察するための第１の光源の光量の補正値と前記眼底を撮影するための第２の光源の光量の補正値とを取得する取得手段と、前記第１の光源の照明下での前記眼底からの反射光を測光する測光手段により得られる測光情報と、前記測光手段による測光時における前記第１の光源の光量と、前記第１の光源の光量の前記変更された補正値とに基づいて、前記第１の光源の光量を制御する第１の制御手段と、前記測光手段により得られる測光情報と、前記測光手段による測光時における前記第１の光源の光量と、前記第２の光源の光量の前記変更された補正値とに基づいて、前記第２の光源の光量を制御する第２の制御手段と、を有することを特徴とする。